(57)【要約】  本開示の送信装置は、動作時に、レガシープリアンブルと、非レガシープリアンブルと、データフィールドとを含む送信信号を生成する送信信号生成器であって、非レガシープリアンブルが、データフィールドにおける空間ストリームの数Ｎｓｓを示す第１の制御シグナリングと、データフィールドにおいて使用される変調方式を示す第２の制御シグナリングと、を含む信号フィールド、を備えており、データフィールドにおけるダイバーシチ伝送が有効にされており、かつ、データフィールドにおいて使用される変調方式に２つ以上のダイバーシチ伝送方式が適用可能である場合、データフィールドにおいて使用される２つ以上のダイバーシチ伝送方式が、Ｎｓｓの値に従って決定される、送信信号生成器と、動作時に、生成された送信信号を送信する送信機と、を備えている。【選択図】図８
2019515575.tif 000002
【特許請求の範囲】
【請求項１】
送信装置であって、
動作時に、レガシープリアンブルと、非レガシープリアンブルと、データフィールドとを含む送信信号を生成する送信信号生成器であって、前記非レガシープリアンブルが、前記データフィールドにおける空間ストリームの数Ｎｓｓを示す第１の制御シグナリングと、前記データフィールドにおいて使用される変調方式を示す第２の制御シグナリングと、を含む信号フィールド、を備えており、前記データフィールドにおけるダイバーシチ伝送が有効にされており、かつ、前記データフィールドにおいて使用される前記変調方式に２つ以上のダイバーシチ伝送方式が適用可能である場合、前記データフィールドにおいて使用される前記２つ以上のダイバーシチ伝送方式が、Ｎｓｓの値に従って決定される、前記送信信号生成器と、
動作時に、前記生成された送信信号を送信する送信機と、
を備えている、送信装置。
【請求項２】
前記非レガシープリアンブルの中の前記信号フィールドが、前記データフィールドにおける前記ダイバーシチ伝送が有効にされているかを示す第３の制御シグナリングを含む、請求項１に記載の送信装置。
【請求項３】
Ｎｓｓ個の空間ストリームが、Ｎｐ＝ｆｌｏｏｒ（Ｎｓｓ／２）個の空間ストリームペアに対にされ、Ｎｓｓが奇数である場合、Ｎｓｓ個の空間ストリームの１つが対にされない、請求項１に記載の送信装置。
【請求項４】
Ｎｓｓが奇数である場合、前記対にされない空間ストリームに第１のダイバーシチ伝送方式が適用され、Ｎｐ個の空間ストリームペアそれぞれに第２のダイバーシチ伝送方式が適用される、請求項３に記載の送信装置。
【請求項５】
空間ストリームが、物理的なアンテナの構成と、アンテナへの空間ストリームのマッピングとに基づいて、対にされ得る、請求項３に記載の送信装置。
【請求項６】
Ｎｓｓが奇数であり１より大きい場合に、Ｎｓｓ個の空間ストリームが、Ｎｇ＝ｆｌｏｏｒ（Ｎｓｓ／２）個の空間ストリームグループにグループ化され、Ｎｇ個のグループの１つが、３つの空間ストリームを備えており、残りの（Ｎｇ−１）個のグループそれぞれが、２つの空間ストリームを備えている、請求項１に記載の送信装置。
【請求項７】
前記３つの空間ストリームからなるグループに第３のダイバーシチ伝送方式が適用され、２つの空間ストリームからなる残りの（Ｎｇ−１）個のグループそれぞれに前記第２のダイバーシチ伝送方式が適用される、請求項６に記載の送信装置。
【請求項８】
空間ストリームが、物理的なアンテナの構成と、アンテナへの空間ストリームのマッピングとに基づいてグループ化され得る、請求項６に記載の送信装置。
【請求項９】
前記第１のダイバーシチ伝送方式が、ＤＣＭ（デュアルサブキャリア変調）である、請求項４に記載の送信装置。
【請求項１０】
前記第２のダイバーシチ伝送方式が、ＳＦＤＳ（空間・周波数ダイバーシチ方式）である、請求項４または請求項７に記載の送信装置。
【請求項１１】
前記第３のダイバーシチ伝送方式が、ｅ−ＳＦＤＳ（拡張ＳＦＤＳ）である、請求項７に記載の送信装置。
【請求項１２】
送信方法であって、
レガシープリアンブルと、非レガシープリアンブルと、データフィールドとを含む送信信号を生成するステップであって、前記非レガシープリアンブルが、前記データフィールドにおける空間ストリームの数Ｎｓｓを示す第１の制御シグナリングと、前記データフィールドにおいて使用される変調方式を示す第２の制御シグナリングと、を含む信号フィールド、を備えており、前記データフィールドにおけるダイバーシチ伝送が有効にされており、かつ、前記データフィールドにおいて使用される前記変調方式に２つ以上のダイバーシチ伝送方式が適用可能である場合、前記データフィールドにおいて使用される前記２つ以上のダイバーシチ伝送方式が、Ｎｓｓの値に従って決定される、ステップと、
前記生成された送信信号を送信するステップと、
を含む、方法。
【発明の詳細な説明】
【技術分野】
【０００１】
本開示は、無線通信に関し、より詳細には、無線通信システムにおけるダイバーシチ伝送のための装置および方法に関する。
【背景技術】
【０００２】
ＩＥＥＥ（米国電気電子学会：Institute of Electrical and Electronics Enigneers）の８０２．１１作業部会は、高密度のシナリオにおいてユーザによって達成される実際のスループットの極めて大幅な増大を達成する目的で、８０２．１１ａｘ  ＨＥ（高効率：High Efficiency）ＷＬＡＮ（ワイヤレスローカルエリアネットワーク：Wireless Local Area Network）エアインタフェースを開発している。８０２．１１ａｘにおける最も重要な特徴の１つとして、ＯＦＤＭＡ（直交周波数分割多元接続：Orthogonal Frequency Division Multiple Access）マルチユーザ伝送が想定された。ＯＦＤＭＡは、複数のユーザへのデータストリームおよび複数のユーザからのデータストリームの複数の動作を、ＯＦＤＭ（直交周波数分割多重：Orthogonal Frequency Division Multiplexing）システムの時間・周波数リソースを通じて実行する多元接続方式である。
【０００３】
８０２．１１ａｘにおけるＯＦＤＭＡマルチユーザ伝送では、一般に周波数スケジューリングが実行される。周波数スケジューリングによると、無線通信アクセスポイント装置（以下では単純に「アクセスポイント」または「ＡＰ」）は、複数の無線通信端末装置（以下では単純に「端末局」または「ＳＴＡ」）に、ＳＴＡの周波数帯域の受信品質に基づいて適応的にサブキャリアを割り当てる。これによって、最大のマルチユーザダイバーシチ効果を得て、通信を極めて効率的に実行することが可能になる。
【０００４】
周波数スケジューリングは、一般には、リソースユニット（ＲＵ）に基づいて実行される。ＲＵは、複数の連続するサブキャリアを含む。ＲＵは、ＲＵあたりの構成サブキャリアの数に応じて異なるタイプを有することができる。ＲＵは、ＡＰが通信する複数のＳＴＡのそれぞれに、ＡＰによって割り当てられる。ＡＰによって実行される周波数スケジューリングのＲＵの割当て結果は、ＲＵ割当て情報としてＳＴＡに通知される。さらに、ＡＰは、共通制御情報およびユーザごとの割当て情報など他の制御シグナリングもＳＴＡに通知する。
【先行技術文献】
【特許文献】
【０００５】
【特許文献１】米国特許第９，１６０，４９２号明細書
【非特許文献】
【０００６】
【非特許文献１】IEEE 802.11-16/0024r1, Proposed TGax draft specification, March 2016
【非特許文献２】IEEE 802.11-16/0056r0, On QPSK DCM Modulation and LDPC Tone Mapper for DCM, January 2016
【非特許文献３】IEEE 802.11-15/1068r1, Reliable Dual Sub-Carrier Modulations (DCM) for HE-SIG-B and Data, September 2015
【非特許文献４】A Novel SFBC-OFDM Scheme for Doubly Selective Channels, IEEE TRANSACTIONS ON VEHICULAR TECHNOLOGY, VOL. 58, NO. 5, JUNE 2009, p2573-2578
【非特許文献５】IEEE Std 802.11adTM-2012
【発明の概要】
【発明が解決しようとする課題】
【０００７】
８０２．１１ａｘでは、ＳＴＡは、アップリンクＯＦＤＭＡにおいて約２ＭＨｚの帯域幅を有する１つのＲＵにおいて、ＨＥパケットのデータフィールドを送信することができ、一方でＨＥパケットのプリアンブルは２０ＭＨｚの帯域幅で送信される。したがって、ＨＥパケットのデータフィールドのパワースペクトル密度は、プリアンブルのパワースペクトル密度より９ｄＢ高い。したがって１基のＳＴＡが深刻な狭帯域干渉を受けることがある。これに加えて、屋外のシナリオにおける伝送距離を拡張する目的で、ＰＥＲ（パケット誤り率：Packet Error Rate）性能も高める必要がある。狭帯域干渉を軽減し、さらにＰＥＲ性能を改善するため、８０２．１１ａｘにおいて効率的なダイバーシチ伝送を実行するための検討が進められている。
【課題を解決するための手段】
【０００８】
一般的な一態様においては、本明細書に開示されている技術は、送信装置であって、動作時に、レガシープリアンブルと、非レガシープリアンブルと、データフィールドとを含む送信信号を生成する送信信号生成器であって、非レガシープリアンブルが、データフィールドにおける空間ストリームの数Ｎｓｓを示す第１の制御シグナリングと、データフィールドにおいて使用される変調方式を示す第２の制御シグナリングと、を含む信号フィールド、を備えており、データフィールドにおけるダイバーシチ伝送が有効にされており、かつ、データフィールドにおいて使用される変調方式に２つ以上のダイバーシチ伝送方式が適用可能である場合、データフィールドにおいて使用される２つ以上のダイバーシチ伝送方式が、Ｎｓｓの値に従って決定される、送信信号生成器と、動作時に、生成された送信信号を送信する送信機と、を備えている、送信装置、を提供する。
【０００９】
なお、一般的な開示または具体的な開示は、システム、方法、集積回路、コンピュータプログラム、記憶媒体、またはこれらから選択される任意の組合せ、として実施することができることに留意されたい。
【００１０】
本開示のダイバーシチ伝送の場合、狭帯域干渉を軽減し、さらにＰＥＲ性能を改善することが可能である。
【００１１】
開示されている実施形態のさらなる恩恵および利点は、本明細書および図面から明らかになるであろう。これらの恩恵および／または利点は、本明細書および図面のさまざまな実施形態および特徴によって、個別に得ることができ、このような恩恵および／または利点の１つまたは複数を得る目的で、実施形態および特徴すべてを設ける必要はない。
【図面の簡単な説明】
【００１２】
【図１】提案されている８０２．１１ａｘの草案仕様書に準拠するＨＥ（高効率）パケットのフォーマットを図解した図
【図２】ＤＣＭ（デュアルサブキャリア変調：Dual Subcarrier Modulation）およびＢＣＣ（２進畳み込み符号：Binary Convolutional Coding）を使用しての１つのＲＵ（リソースユニット）におけるシングルユーザ伝送用ＨＥパケットのＨＥデータフィールドを生成するために使用される、提案されている８０２．１１ａｘの草案仕様書による送信機の構造の例を示す図
【図３】従来技術による、ＱＰＳＫ（四位相偏移変調：Quadrature Phase Shift Keying）の場合におけるＤＣＭの動作の例を図解した図
【図４】従来技術による、ＳＦＤＳ（空間・周波数ダイバーシチ方式：Space Frequency Diversity Scheme）の一種であるＳＦＢＣ（空間・周波数ブロック符号化：Space Frequency Block Coding）の動作の例を図解した図
【図５】ダイバーシチ伝送を実行する、本開示の第１の実施形態に係る方法の例を図解したフロー図
【図６Ａ】直接マッピングおよび４つの空間ストリームを使用するＯＬ（開ループ：Open Loop）ＭＩＭＯ（多入力多出力：Multiple Input Multiple Output）伝送の場合における、本開示の第１の実施形態に係る空間ストリームのペアリングの例を図解した図
【図６Ｂ】直接マッピングおよび６つの空間ストリームを使用するＯＬ  ＭＩＭＯ伝送の場合における、本開示の第１の実施形態に係る空間ストリームのペアリングの別の例を図解した図
【図６Ｃ】直接マッピングおよび８つの空間ストリームを使用するＯＬ  ＭＩＭＯ伝送の場合における、本開示の第１の実施形態に係る空間ストリームのペアリングの別の例を図解した図
【図６Ｄ】直接マッピングおよび４つの空間ストリームを使用するＯＬ  ＭＩＭＯ伝送の場合における、本開示の第１の実施形態に係る空間ストリームのペアリングの別の例を図解した図
【図７】ダイバーシチ伝送およびＢＣＣを使用しての１つのＲＵにおけるシングルユーザ伝送用ＨＥパケットのＨＥデータフィールドを生成するために使用される、本開示の第１の実施形態に係る送信機の構造の例を示す図
【図８】ダイバーシチ伝送を実行する、本開示の第２の実施形態に係る方法の例を図解したフロー図
【図９Ａ】直接マッピングおよび４つの空間ストリームを使用するＯＬ  ＭＩＭＯ伝送の場合における、本開示の第２の実施形態に係る空間ストリームのグループ化の例を図解した図
【図９Ｂ】直接マッピングおよび５つの空間ストリームを使用するＯＬ  ＭＩＭＯ伝送の場合における、本開示の第２の実施形態に係る空間ストリームのグループ化の別の例を図解した図
【図９Ｃ】直接マッピングおよび６つの空間ストリームを使用するＯＬ  ＭＩＭＯ伝送の場合における、本開示の第２の実施形態に係る空間ストリームのグループ化の別の例を図解した図
【図９Ｄ】直接マッピングおよび７つの空間ストリームを使用するＯＬ  ＭＩＭＯ伝送の場合における、本開示の第２の実施形態に係る空間ストリームのグループ化の別の例を図解した図
【図９Ｅ】直接マッピングおよび８つの空間ストリームを使用するＯＬ  ＭＩＭＯ伝送の場合における、本開示の第２の実施形態に係る空間ストリームのグループ化の別の例を図解した図
【図９Ｆ】直接マッピングおよび４つの空間ストリームを使用するＯＬ  ＭＩＭＯ伝送の場合における、本開示の第２の実施形態に係る空間ストリームのグループ化の別の例を図解した図
【図９Ｇ】直接マッピングおよび５つの空間ストリームを使用するＯＬ  ＭＩＭＯ伝送の場合における、本開示の第２の実施形態に係る空間ストリームのグループ化の別の例を図解した図
【図１０】本開示の第２の実施形態に係る、ＱＰＳＫ変調の場合におけるｅ−ＳＦＤＳ（拡張ＳＦＤＳ）の動作の例を図解した図
【図１１】ダイバーシチ伝送およびＢＣＣを使用しての１つのＲＵにおけるシングルユーザ伝送用ＨＥパケットのＨＥデータフィールドを生成するために使用される、本開示の第２の実施形態に係る送信機の構造の例を示す図
【図１２】本開示に係る無線通信装置の構造の例を示す図
【発明を実施するための形態】
【００１３】
以下では、本開示のさまざまな実施形態について、添付の図面を参照しながら詳しく説明する。以下の説明では、明確さと簡潔さとを目的として、公知の機能および公知の構造の詳細な説明は省いた。
【００１４】
図１は、提案されている８０２．１１ａｘの草案仕様書（非特許文献１を参照）に準拠するＨＥ（高効率）パケット１００のフォーマットを示している。ＨＥパケット１００は、レガシーショートトレーニングフィールド（Ｌ−ＳＴＦ：legacy short training field）１０２、レガシーロングトレーニングフィールド（Ｌ−ＬＴＦ：legacy long training field）１０４、およびレガシー信号フィールド（Ｌ−ＳＩＧ：legacy signal field）１０６を備えているレガシープリアンブルと、反復Ｌ−ＳＩＧフィールド（ＲＬ−ＳＩＧ：repeated L-SIG field）１０８、第１のＨＥ信号フィールド（ＨＥ−ＳＩＧ−Ａ）１１０、第２のＨＥ信号フィールド（ＨＥ−ＳＩＧ−Ｂ）１１２、ＨＥショートトレーニングフィールド（ＨＥ−ＳＴＦ：HE short training field）１１４、およびＨＥロングトレーニングフィールド（ＨＥ−ＬＴＦ：HE long training field）１１６を備えているＨＥプリアンブルと、ＨＥデータフィールド１２０と、パケット拡張（ＰＥ：packet extension）フィールド１２２と、を含む。
【００１５】
レガシープリアンブル（１０２，１０４，１０６）は、レガシー標準規格８０２．１１ａ／ｇ／ｎ／ａｃとの後方互換性を促進するために使用される。Ｌ−ＳＴＦ  １０２およびＬ−ＬＴＦ  １０４は、主として、パケット検出、ＡＧＣ（自動利得制御：Automatic Gain Control）の設定、周波数オフセット推定、時間同期、およびチャネル推定に使用される。Ｌ−ＳＩＧ  １０６は、ＨＥプリアンブルの中のＲＬ−ＳＩＧ  １０８（Ｌ−ＳＩＧ  １０６から複製される）とともに、ＨＥパケット１００とレガシー８０２．１１ａ／ｇ／ｎ／ａｃパケットとの区別を支援するために使用される。さらにＬ−ＳＩＧ  １０６は、ＨＥパケット１００の送信時間を示す長さ（Length）フィールドを備えている。
【００１６】
ＨＥプリアンブルの中のＨＥ−ＳＩＧ−Ａ  １１０は、ＨＥパケット１００の残りのフィールドを解釈するために必要な共通制御情報を含む。シングルユーザ伝送用ＨＥパケット１００の場合、ＨＥ−ＳＩＧ−Ａ  １１０は、帯域幅フィールド、ＭＣＳ（変調・符号化方式：Modulation and Coding Scheme）フィールド、Ｎｓｓフィールド、符号フィールド、ＤＣＭ（デュアルサブキャリア変調）フィールドなどのシグナリングフィールドを備えている。ＭＣＳフィールドは、ＨＥデータフィールド１２０において使用される変調方式および符号化率を示す。変調方式は、ＢＰＳＫ（二位相偏移変調：Binary Phase Shift Keying）、ＱＰＳＫ（四位相偏移変調）、１６−ＱＡＭ（１６直交振幅変調：16-Quadrature Amplitude Modulation）、および６４−ＱＡＭなどとすることができる。Ｎｓｓフィールドは、ＨＥデータフィールド１２０における空間ストリームの数を示し、符号フィールドは、ＨＥデータフィールド１２０においてＬＤＰＣ（低密度パリティ検査符号：Low Density Parity Coding）またはＢＣＣ（２進畳み込み符号）のいずれが使用されているかを示し、ＤＣＭフィールドは、ＨＥデータフィールド１２０においてＤＣＭが使用されているかを示す。ダウンリンクマルチユーザ伝送用ＨＥパケット１００の場合、ＨＥ−ＳＩＧ−Ａ  １１０は、帯域幅フィールド、ＳＩＧＢ  ＭＣＳフィールド、ＳＩＧＢ  ＤＣＭフィールド、およびＳＩＧＢシンボル数（SIGB Number of Symbols）フィールドなどのシグナリングフィールドを備えている。
【００１７】
ＨＥプリアンブルの中のＨＥ−ＳＩＧ−Ｂ  １１２は、共通フィールド１２２と、それに続くユーザ固有フィールド１２４とを備えている。共通フィールド１２２は、ＲＵ割当て情報（例えば、周波数領域におけるＲＵ配置と、各ＲＵにおいて多重化されるユーザの数）を含む。シングルユーザ伝送においてＲＵが指定されている場合、ＲＵにおいて多重化されるユーザの数は１である。ＭＵ−ＭＩＭＯ（マルチユーザ多入力多出力）伝送においてＲＵが指定されている場合、ＲＵにおいて多重化されるユーザの数は２以上である。ユーザ固有フィールド１２４は、複数のユーザ固有サブフィールドを備えている。ユーザ固有サブフィールドそれぞれは、ユーザごとの割当て情報を含む。シングルユーザ伝送の場合に指定される各ＲＵに対して、対応する１つのユーザ固有サブフィールドのみが存在し、このサブフィールドは、ＳＴＡ識別子、Ｎｓｓ、ＭＣＳ、ＤＣＭ、符号などのシグナリングフィールドを含む。Ｋ人のユーザが多重化されるＭＵ−ＭＩＭＯ伝送の場合に指定される各ＲＵに対しては、対応するＫ個のユーザ固有サブフィールドが存在し、各サブフィールドは、ＳＴＡ識別子、空間構成、ＭＣＳ、ＤＣＭ、符号などのシグナリングフィールドを備えている。ユーザ固有フィールド内のユーザ固有サブフィールドの順序は、共通フィールド１２２によってシグナリングされるＲＵ配置に従う。ＨＥパケット１００がシングルユーザ伝送、またはアップリンクのトリガーベースのマルチユーザ伝送において使用されるように意図されている場合、ＨＥパケット１００にＨＥ−ＳＩＧ−Ｂ  １１２が存在しない。アップリンクのトリガーベースのマルチユーザ伝送の場合、指定された送信側ＳＴＡのためのＲＵ割当て情報およびユーザごとの割当て情報は、ＡＰにおいてあらかじめ設定され、指定された送信側ＳＴＡにＡＰによってトリガーフレームにおいて送信される。
【００１８】
ＨＥプリアンブルの中のＨＥ−ＳＴＦ  １１４は、ＡＧＣをリセットし、ＡＤＣ（アナログ−デジタルコンバータ：Analog-to-Digital Converter）に対するダイナミックレンジ要件を低減するために使用される。ＨＥプリアンブルの中のＨＥ−ＬＴＦ  １１６は、ＨＥデータフィールド１２０を受信し等化する（equalizing）ためのＭＩＭＯチャネル推定用に提供されている。ＳＴＡのＨＥデータフィールド１２０は、ＰＳＤＵ（物理層サービスデータユニット：Physical Layer Service Data Unit）を含み、ＰＳＤＵは、指定されたＲＵにおいて送信され、ＨＥデータフィールド１２０におけるすべてのＯＦＤＭシンボルにまたがる。ＰＥフィールド１２２はヌルデータを含み、このヌルデータは、単に、受信機がＨＥデータフィールド１２０の最後のＯＦＤＭシンボルを処理するための十分な時間を有することができるようにする目的で使用される。
【００１９】
Ｌ−ＳＴＦ  １０２、Ｌ−ＬＴＦ  １０４、Ｌ−ＳＩＧ  １０６、ＲＬ−ＳＩＧ  １０８、ＨＥ−ＳＩＧ−Ａ  １１０、ＨＥ−ＳＩＧ−Ｂ  １１２、ＨＥ−ＳＴＦ  １１４、ＨＥ−ＬＴＦ  １１６、ＨＥデータフィールド１２０、およびＰＥフィールド１２２の送信処理の詳細は、提案されている８０２．１１ａｘの草案仕様書（非特許文献１を参照）に記載されている。
【００２０】
図２は、ＤＣＭおよびＢＣＣを使用しての一つのＲＵにおけるシングルユーザ伝送用ＨＥデータフィールド１２０（図１を参照）を生成するために使用される、提案されている８０２．１１ａｘの草案仕様書（非特許文献１を参照）による送信機２００の構造の例を示している。送信機２００は、ＦＥＣ前ＰＨＹパディングブロック２０２と、スクランブラ２０４と、ＢＣＣ符号化器２０６と、ＦＥＣ後ＰＨＹパディングブロック２０８と、ストリームパーサ２１０と、Ｎｓｓ個のＢＣＣインターリーバ２１２と、Ｎｓｓ個のコンステレーションマッパー２１４と、Ｎｓｓ個のＤＣＭトーンマッパー２１６と、（Ｎｓｓ−１）個のＣＳＤ（循環シフトダイバーシチ：Cyclic Shift Diversity）ブロック２１８と、空間・周波数マッピングブロック２２０と、ＮＴＸ個のＩＤＦＴ（逆離散フーリエ変換：Inverse Discrete Fourier Transform）ブロック２２２と、ＮＴＸ個のＧＩ（ガードインターバル：Guard Interval）挿入および窓掛けブロック２２４と、ＮＴＸ個のアナログおよびＲＦ（無線周波数：Radio Frequency）ブロック２２６とを備えており、ここでＮｓｓは空間ストリームの数であり、ＮＴＸは送信チェーンの数である。
【００２１】
ＦＥＣ前ＰＨＹパディングブロック２０２と、スクランブラ２０４と、ＢＣＣ符号化器２０６と、ＦＥＣ後ＰＨＹパディングブロック２０８は、ＰＳＤＵを、符号化されたデータビットのシーケンスに変換する。ストリームパーサ２１０は、符号化されたデータビットのシーケンスをＮｓｓ個のデータブロックに再配置し、各データブロックが特定の空間ストリームに対応する。Ｎｓｓ個の空間ストリームそれぞれにおいて、対応するＢＣＣインターリーバ２１２が、データブロック内の符号化されたビットをインターリーブする。対応するコンステレーションマッパー２１４は、データブロック内の符号化されてインターリーブされたビットを、変調コンステレーションポイントにマッピングする。対応するＤＣＭトーンマッパー２１６は、変調コンステレーションポイントに対してＤＣＭを動作させ、次いで、第１の空間ストリームを除き、対応するＣＳＤブロック２１８によって循環シフトを挿入する。空間・周波数マッピングブロック２２０は、ＲＵにおけるシングルユーザ伝送のＮｓｓ個の空間ストリームの変調コンステレーションポイントを、ＮＴＸ個の送信チェーンにマッピングする。ＮＴＸ個の送信チェーンそれぞれにおいて、ＩＤＦＴブロック２２２が、変調コンステレーションポイントを複数の時間領域ＯＦＤＭシンボルに変換する。ＧＩ挿入および窓掛けブロック２２４は、各ＯＦＤＭシンボルの先頭に、それ自体の循環拡張領域を付加し、オプションとして、スペクトル減衰を増大させるため各ＯＦＤＭシンボルの縁部を平滑化する。アナログおよびＲＦブロック２２６は、複数の時間領域ＯＦＤＭシンボルを、（１つまたは複数の）アンテナを通じて送信されるアナログ信号に変換する。
【００２２】
図３は、従来技術による、ＱＰＳＫ変調の場合におけるＤＣＭ（デュアルサブキャリア変調）の動作の例を示している（非特許文献１、非特許文献２、非特許文献３、非特許文献５を参照）。ＤＣＭは、空間ストリームごとに実行される。第１の空間ストリームＳＳ１に対応するデータブロック内の符号化されてインターリーブされたビットが、ＱＰＳＫによって変調され、第１の空間ストリームＳＳ１に対応するＲＵにおけるデータサブキャリアの下半分（図３の左側）にマッピングされ、すなわち、｛ｄ１，ｋ，ｋ＝０，１，．．．，ＮＳＤ／２−１｝であり、式中、ＮＳＤはＲＵにおけるデータサブキャリアの数である。第１の空間ストリームＳＳ１に対応するＲＵにおけるデータサブキャリアの下半分の変調されたシンボルが繰り返され、共役化され（conjugated）、次いで、第１の空間ストリームＳＳ１に対応するＲＵにおけるデータサブキャリアの上半分（図３の右側）にマッピングされる。すなわち、以下である。
【数１】
2019515575.tif 000003
式中、Ｐ（ｋ）は、サブキャリアインデックスｋの関数であり、例えばＰ（ｋ）＝ｋ＋ＮＳＤ／２である。同様に、第２の空間ストリームＳＳ２に対応するデータブロック内の符号化されてインターリーブされたビットが、ＱＰＳＫによって変調され、第２の空間ストリームＳＳ２に対応するＲＵにおけるデータサブキャリアの下半分にマッピングされ、すなわち、｛ｄ２，ｋ，ｋ＝０，１，．．．，ＮＳＤ／２−１｝である。第２の空間ストリームＳＳ２に対応するＲＵにおけるデータサブキャリアの下半分の変調されたシンボルが繰り返され、共役化され、次いで、第２の空間ストリームＳＳ２に対応するＲＵにおけるデータサブキャリアの上半分にマッピングされる。すなわち、以下である。
【数２】
2019515575.tif 000004
このようにして、周波数ダイバーシチ利得を得ることができる。結果として、狭帯域干渉を軽減することができ、さらに、ＰＥＲ性能を改善することができる。
【００２３】
図４は、従来技術による、ＳＦＤＳ（空間・周波数ダイバーシチ方式）の一種であるＳＦＢＣ（空間・周波数ブロック符号化）の動作の例を示している（特許文献１および非特許文献４を参照）。ＳＦＢＣは、２つの空間ストリームにまたがって実行される。第１の空間ストリームＳＳ１に対応するデータブロック内の符号化されてインターリーブされたビットが変調され、第１の空間ストリームＳＳ１に対応するＲＵにおけるデータサブキャリアの下半分（図４の左側）にマッピングされ、すなわち、｛ｄ１，ｋ，ｋ＝０，１，．．．，ＮＳＤ／２−１｝である。第１の空間ストリームＳＳ１に対応するＲＵにおけるデータサブキャリアの下半分の変調されたシンボルが繰り返され、共役化され、次いで、第２の空間ストリームＳＳ２に対応するＲＵにおけるデータサブキャリアの上半分（図４の右側）にマッピングされる。すなわち、以下である。
【数３】
2019515575.tif 000005
一方、第２の空間ストリームＳＳ２に対応するデータブロック内の符号化されてインターリーブされたビットが変調され、第２の空間ストリームＳＳ２に対応するＲＵにおけるデータサブキャリアの下半分にマッピングされ、すなわち、｛ｄ２，ｋ，ｋ＝０，１，．．．，ＮＳＤ／２−１｝である。第２の空間ストリームＳＳ２に対応するＲＵにおけるデータサブキャリアの下半分の変調されたシンボルが繰り返され、共役化され、反転され（inverted）、次いで、第１の空間ストリームＳＳ１に対応するＲＵにおけるデータサブキャリアの上半分にマッピングされる。すなわち、以下である。
【数４】
2019515575.tif 000006
このようにして、周波数ダイバーシチ利得に加えて空間ダイバーシチ利得を得ることができる。
【００２４】
なお、高次変調（例えば６４−ＱＡＭ）の場合、良好なＰＥＲ性能を達成する代償として、高次変調のデータレートが低下しうるため、図３に示したＤＣＭと図４に示したＳＦＤＳの両方を使用しなくてもよいことに留意されたい。
【００２５】
図３に示したＤＣＭは、任意の数の空間ストリームを使用するダイバーシチ伝送に適用可能である。しかしながら、図３に示したＤＣＭでは、空間ダイバーシチ利得は得られない。これに対して、図４に示したＳＦＤＳは、２つの空間ストリームを使用するダイバーシチ伝送において空間ダイバーシチ利得および周波数ダイバーシチ利得の両方を有する。しかしながら、図４に示したＳＦＤＳを、３つ以上の空間ストリームを使用するダイバーシチ伝送にどのように拡張することができるかが不明確である。以下では、空間ダイバーシチ利得および周波数ダイバーシチ利得の両方を最大限に得ることができるように、本開示に係る、任意の数の空間ストリームを使用するダイバーシチ伝送を実行する装置および方法のさまざまな実施形態について、さらに詳しく説明する。
【００２６】
＜第１の実施形態＞
図５は、任意の数の空間ストリームを使用するダイバーシチ伝送を実行する、本開示の第１の実施形態に係る方法の例５００を示している。方法５００はステップ５０２において開始される。ステップ５０４において、Ｎｓｓ個の空間ストリームをＮｐ個のペアに対にする（式（１））。
【００２７】
【数５】
2019515575.tif 000007
【００２８】
なお、Ｎｓｓが奇数である場合、空間ストリームの１つが対にされないことに留意されたい。
【００２９】
本開示の第１の実施形態によれば、空間ストリームを対にする方法は、設定可能とする、またはあらかじめ決めておくことができる。空間ストリームを対にするいくつかの方法が設定可能である場合、使用される空間ストリームを対にするために実際に用いられる方法を示すため、ＨＥ−ＳＩＧ−Ａ  １１０、ＨＥ−ＳＩＧ−Ｂ  １１２のユーザ固有サブフィールド、またはトリガーフレームにおける追加のシグナリングが必要である。
【００３０】
本開示の第１の実施形態によれば、開ループ（ＯＬ）ＭＩＭＯ伝送の場合、対にされた空間ストリーム間の相互関係ができる限り弱いように、物理的なアンテナの構成と、アンテナへの空間ストリームのマッピングとに基づいて、空間ストリームを対にすることができる。これを達成する目的で、隣り合うアンテナを通じて送信される空間ストリームが対にされることを回避し、対にされた空間ストリームが送信されるアンテナの間の最小物理距離を最大にすることが好ましい。空間ストリームに割り当てられているストリームインデックスが、物理的なアンテナの構成の番号に対応している場合、空間ストリームをＮｐ個のペアに対にする方法の例は、最小のストリームインデックスを有する空間ストリームから開始して、ストリームインデックスの値がＮｐだけ離れている２つの空間ストリームそれぞれを互いに対にするステップを含む。Ｎｓｓが奇数である場合、最大のストリームインデックスを有する空間ストリームは対にされない。結果として、特に、直接マッピングを使用するＯＬ  ＭＩＭＯ伝送の場合に、対にされた空間ストリームそれぞれにおける空間ダイバーシチ利得を改善することができる。
【００３１】
図６Ａは、直接マッピングおよび４つの空間ストリームを使用するＯＬ  ＭＩＭＯ伝送の場合における、本開示の第１の実施形態に係る空間ストリームのペアリングの例を示している。この場合、空間ストリームに割り当てられているストリームインデックスが、物理的なアンテナの構成の番号に対応している。第１の空間ストリームＳＳ１と第３の空間ストリームＳＳ３との間の相互関係は、第１の空間ストリームＳＳ１と第２の空間ストリームＳＳ２との間の相互関係より一般に弱いが、第２の空間ストリームＳＳ２と第４の空間ストリームＳＳ４との間の相互関係と同程度であることに留意されたい。したがって、４つの空間ストリームそれぞれがより良好な同程度の空間ダイバーシチ利得を達成することができるように、ＳＳ１とＳＳ３を対にし、ＳＳ２とＳＳ４を対にすることがより良好である。
【００３２】
図６Ｂは、直接マッピングおよび６つの空間ストリームを使用するＯＬ  ＭＩＭＯ伝送の場合における、本開示の第１の実施形態に係る空間ストリームのペアリングの別の例を示している。この場合、空間ストリームに割り当てられているストリームインデックスが、物理的なアンテナの構成の番号に対応している。第１の空間ストリームＳＳ１と第４の空間ストリームＳＳ４との間の相互関係は、第１の空間ストリームＳＳ１と第２の空間ストリームＳＳ２との間の相互関係、または第１の空間ストリームＳＳ１と第３の空間ストリームＳＳ３との間の相互関係より一般に弱いが、第２の空間ストリームＳＳ２と第５の空間ストリームＳＳ５との間の相互関係、または第３の空間ストリームＳＳ３と第６の空間ストリームＳＳ６との間の相互関係と同程度であることに留意されたい。したがって、６つの空間ストリームそれぞれがより良好な同程度の空間ダイバーシチ利得を達成することができるように、ＳＳ１とＳＳ４を対にし、ＳＳ２とＳＳ５を対にし、ＳＳ３とＳＳ６を対にすることがより良好である。
【００３３】
図６Ｃは、直接マッピングおよび８つの空間ストリームを使用するＯＬ  ＭＩＭＯ伝送の場合における、本開示の第１の実施形態に係る空間ストリームのペアリングの別の例を示している。この場合、空間ストリームに割り当てられているストリームインデックスが、物理的なアンテナの構成の番号に対応している。第１の空間ストリームＳＳ１と第５の空間ストリームＳＳ５との間の相互関係は、第１の空間ストリームＳＳ１と第２の空間ストリームＳＳ２との間の相互関係、または第１の空間ストリームＳＳ１と第３の空間ストリームＳＳ３との間の相互関係、または第１の空間ストリームＳＳ１と第４の空間ストリームＳＳ４との間の相互関係より一般に弱いが、第２の空間ストリームＳＳ２と第６の空間ストリームＳＳ６との間の相互関係、または第３の空間ストリームＳＳ３と第７の空間ストリームＳＳ７との間の相互関係、または第４の空間ストリームＳＳ４と第８の空間ストリームＳＳ８との間の相互関係と同程度であることに留意されたい。したがって、ＳＳ１〜ＳＳ８それぞれがより良好な同程度の空間ダイバーシチ利得を達成することができるように、ＳＳ１とＳＳ５を対にし、ＳＳ２とＳＳ６を対にし、ＳＳ３とＳＳ７を対にし、ＳＳ４とＳＳ８を対にすることがより良好である。
【００３４】
図６Ｄは、直接マッピングおよび４つの空間ストリームを使用するＯＬ  ＭＩＭＯ伝送の場合における、本開示の第１の実施形態に係る空間ストリームのペアリングの別の例を示している。この場合、空間ストリームに割り当てられているストリームインデックスは、物理的なアンテナの構成の番号に対応していない。第１の空間ストリームＳＳ１と第２の空間ストリームＳＳ２との間の相互関係は、第１の空間ストリームＳＳ１と第３の空間ストリームＳＳ３との間の相互関係より一般に弱いが、第３の空間ストリームＳＳ３と第４の空間ストリームＳＳ４との間の相互関係と同程度であることに留意されたい。したがって、ＳＳ１、ＳＳ２、ＳＳ３、ＳＳ４がより良好な同程度の空間ダイバーシチ利得を達成することができるように、ＳＳ１とＳＳ２を対にし、ＳＳ３とＳＳ４を対にすることがより良好である。
【００３５】
図５におけるステップ５０６においては、空間ストリームのペアそれぞれに、図４に示したＳＦＤＳを適用する。Ｎｓｓが奇数である場合、対にされない空間ストリームに、図３に示したＤＣＭを適用する。方法５００は、ステップ５０８において停止する。
【００３６】
本開示の第１の実施形態によれば、ＲＵにおけるシングルユーザ伝送においてダイバーシチ伝送が可能であり、ＤＣＭおよびＳＦＤＳを含む２つのダイバーシチ伝送方式が、ＲＵにおいて使用される変調方式に適用可能である。ＲＵにおいて使用されるダイバーシチ伝送方式は、次のように、ＲＵにおいて送信される空間ストリームの数Ｎｓｓのみに従って決定される。
−  Ｎｓｓが偶数である場合、Ｎｐ個の空間ストリームペアそれぞれにＳＦＤＳが適用される。例えば、Ｎｓｓ＝２の場合、１つの空間ストリームペアにＳＦＤＳが適用される。
−  Ｎｓｓが奇数である場合、Ｎｐ個の空間ストリームペアそれぞれにＳＦＤＳが適用され、対にされない空間ストリームにＤＣＭが適用される。例えば、Ｎｓｓ＝１の場合、１つの空間ストリームにＤＣＭが適用される。Ｎｓｓ＝３の場合、１つの空間ストリームペアにＳＦＤＳが適用され、残りの対にされない空間ストリームにＤＣＭが適用される。
【００３７】
本開示の第１の実施形態によれば、図１のＨＥパケット１００のＨＥ−ＳＩＧ−ＡにおけるＤＣＭフィールド、ＨＥ−ＳＩＧ−Ｂ  １１２のユーザ固有サブフィールド、またはトリガーフレームが、本来の目的の代わりに、ダイバーシチ伝送が有効にされているかを示すことができる。ダイバーシチ伝送が有効にされている場合、受信機は、ＲＵにおけるシングルユーザ伝送に（１つまたは複数の）どのダイバーシチ伝送方式が使用されているかを、空間ストリームの数Ｎｓｓに従って求めることができる。
【００３８】
上述した設定によれば、ＲＵにおいて２つ以上の空間ストリームが送信される場合、対にされた空間ストリームそれぞれに対するダイバーシチ伝送方式としてＳＦＤＳを使用することによって、対にされた空間ストリームそれぞれにおいて周波数ダイバーシチ利得および空間ダイバーシチ利得の両方を得ることができる。したがって、ＨＥパケット１００が受ける狭帯域干渉が軽減され、さらに、ＨＥパケット１００のＰＥＲ性能が改善される。さらには、送信機は、どの空間ストリームに対してどのダイバーシチ伝送方式を使用するかを空間ストリームの数に基づいて決定するため、たとえＲＵにおいて２つ以上の空間ストリームが送信されるときでも、受信機は、どの空間ストリームに対してどのダイバーシチ伝送方式が実際に使用されているかを通知する追加のシグナリングビットを受信することなく、どの空間ストリームに対してどのダイバーシチ伝送方式が使用されているかを認識することができる。したがって、上述した設定をサポートするために余分なシグナリングビットが必要ない。これは極めて重要であり、なぜならＨＥ−ＳＩＧ−Ａフィールド、またはＨＥ−ＳＩＧ−Ｂフィールドのユーザ固有サブフィールドが、どの空間ストリームに対してどのダイバーシチ伝送方式が使用されているかを示すための十分なシグナリングビットを有さないことがあるためである。
【００３９】
本開示の第１の実施形態によれば、Ｎｓｓが奇数である場合、ＤＣＭが適用される対にされない空間ストリームにおいては、空間ダイバーシチ利得が得られない。
【００４０】
本開示の第１の実施形態によれば、受信機は、１つのＲＵにおけるシングルユーザ伝送用ＨＥパケット１００のＨＥデータフィールド１２０を復号する前に、空間ストリームがどのように対にされているかを、空間ストリームの数Ｎｓｓに従って認識することができる。例えば、Ｎｓｓ＝４の場合、最初の空間ストリームペアが、第１の空間ストリームＳＳ１および第３の空間ストリームＳＳ３を備えており、２番目の空間ストリームペアが、第２の空間ストリームＳＳ２および第４の空間ストリームＳＳ４を備えている。
【００４１】
本開示の第１の実施形態によれば、Ｎｓｓが偶数である場合に１つのＲＵにおけるシングルユーザ伝送用ＨＥパケット１００のＨＥデータフィールド１２０を受信機において復号する方法は、Ｎｐ個の空間ストリームペアそれぞれにおける第１の空間ストリームおよび第２の空間ストリームからの情報ビットを復号するステップと、Ｎｓｓ個の空間ストリームを逆パースして（deparse）、復号された情報ビットのシーケンスを得るステップと、を含む。
【００４２】
本開示の第１の実施形態によれば、Ｎｓｓが奇数である場合に１つのＲＵにおけるシングルユーザ伝送用ＨＥパケット１００のＨＥデータフィールド１２０を受信機において復号する方法は、Ｎｐ個の空間ストリームペアそれぞれにおける第１の空間ストリームおよび第２の空間ストリームからの情報ビットを復号するステップと、対にされていない空間ストリームからの情報ビットを復号するステップと、Ｎｓｓ個の空間ストリームを逆パースして、復号された情報ビットのシーケンスを得るステップと、を含む。
【００４３】
本開示の第１の実施形態によれば、受信機は、空間ストリームペアにおける第１の空間ストリームからの情報ビットを復号するため、ペアにおける第１の空間ストリームに対応する最初のデータサブキャリアｋ（ｋ＝０，１，．．．，ＮＳＤ／２−１）におけるＬＬＲ（尤度比：Likelihood Ratio）と、ペアにおける第２の空間ストリームに対応する２番目のデータサブキャリアＰ（ｋ）、すなわち、
【数６】
2019515575.tif 000008
におけるＬＬＲとを計算し、次いで両方のＬＬＲを合成する。さらに受信機は、空間ストリームペアにおける第２の空間ストリームからの情報ビットを復号するため、ペアにおける第２の空間ストリームに対応する最初のデータサブキャリアｋ（ｋ＝０，１，．．．，ＮＳＤ／２−１）におけるＬＬＲと、ペアにおける第１の空間ストリームに対応する２番目のデータサブキャリアＰ（ｋ）、すなわち、
【数７】
2019515575.tif 000009
におけるＬＬＲとを計算し、次いで両方のＬＬＲを合成する。
【００４４】
本開示の第１の実施形態によれば、受信機は、対にされていない空間ストリームからの情報ビットを復号するため、対にされていない空間ストリームに対応する最初のデータサブキャリアｋ（ｋ＝０，１，．．．，ＮＳＤ／２−１）におけるＬＬＲ（尤度比）と、対にされていない空間ストリームに対応する２番目のデータサブキャリアＰ（ｋ）、すなわち、
【数８】
2019515575.tif 000010
におけるＬＬＲとを計算し、次いで両方のＬＬＲを合成する。
【００４５】
図７は、ダイバーシチ伝送およびＢＣＣを使用しての１つのＲＵにおけるシングルユーザ伝送用ＨＥパケット１００のＨＥデータフィールド１２０（図１を参照）を生成するために使用される、本開示の第１の実施形態に係る送信機７００の構造の例を示している。送信機７００は、ＦＥＣ前ＰＨＹパディングブロック７０２と、スクランブラ７０４と、ＢＣＣ符号化器７０６と、ＦＥＣ後ＰＨＹパディングブロック７０８と、ストリームパーサ７１０と、Ｎｓｓ個のＢＣＣインターリーバ７１２と、Ｎｓｓ個のコンステレーションマッパー７１４と、ＤＣＭ／ＳＦＤＳトーンマッパー７１６と、（Ｎｓｓ−１）個のＣＳＤブロック７１８と、空間・周波数マッピングブロック７２０と、ＮＴＸ個のＩＤＦＴブロック７２２と、ＮＴＸ個のＧＩ挿入および窓掛けブロック７２４と、ＮＴＸ個のアナログおよびＲＦブロック７２６と、を備えている。さらに、送信機７００は、空間ストリームペアリングブロック７３２と、ダイバーシチ方式選択ブロック７３４と、を備えている。
【００４６】
ＦＥＣ前ＰＨＹパディングブロック７０２と、スクランブラ７０４と、ＢＣＣ符号化器７０６と、ＦＥＣ後パディングブロック７０８と、ストリームパーサ７１０と、ＢＣＣインターリーバ７１２と、コンステレーションマッパー７１４と、ＣＳＤブロック７１８と、空間・周波数マッピングブロック７２０と、ＩＤＦＴブロック７２２と、ＧＩ挿入および窓掛けブロック７２４と、アナログおよびＲＦブロック７２６は、図２に示した送信機２００における対応する各ブロックとまったく同じ機能を有する。
【００４７】
空間ストリームペアリングブロック７３２は、Ｎｓｓ個の空間ストリームをＮｐ個のペアに対にする。Ｎｓｓが奇数である場合、Ｎｓｓ個の空間ストリームのうちの１つが対にされない。ダイバーシチ方式選択ブロック７３４は、使用する（１つまたは複数の）ダイバーシチ方式をＮｓｓの値に従って決定する。ＤＣＭ／ＳＦＤＳトーンマッパー７１６は、Ｎｓｓが奇数の場合に、対にされない空間ストリームに対して、図３に示したＤＣＭを実行し、Ｎｐ個の空間ストリームペアそれぞれに対して、図４に示したＳＦＤＳを実行する。
【００４８】
本開示の第１の実施形態の設定によれば、ＲＵにおいて２つ以上の空間ストリームが送信される場合、対にされた空間ストリームそれぞれに対するダイバーシチ伝送方式としてＳＦＤＳを使用することによって、対にされた空間ストリームそれぞれにおいて周波数ダイバーシチ利得および空間ダイバーシチ利得の両方を得ることができる。したがって、ＨＥパケット１００が受ける狭帯域干渉が軽減され、さらに、ＨＥパケット１００のＰＥＲ性能が改善される。さらには、どの空間ストリームに対してどのダイバーシチ伝送方式が使用されているかを受信機に通知する余分なシグナリングビットが必要ない。
【００４９】
＜第２の実施形態＞
図８は、ダイバーシチ伝送を実行する、本開示の第２の実施形態に係る方法の例８００を示している。方法８００は、ステップ８０２において開始される。ステップ８０４において、空間ストリームの数Ｎｓｓが１に等しい場合、方法８００はステップ８０６に進む。そうでない場合、方法８００はステップ８０８に進む。
【００５０】
ステップ８０６においては、１つの空間ストリームに、図３に示したＤＣＭを適用する。方法８００はステップ８１８において停止する。ステップ８０８においては、空間ストリームの数Ｎｓｓが偶数である場合、方法８００はステップ８１０に進む。そうでない場合、方法８００はステップ８１４に進む。
【００５１】
ステップ８１０においては、Ｎｓｓ個の空間ストリームをＮｇ個（次式）のグループにグループ化する（式（２））。
【００５２】
【数９】
2019515575.tif 000011
【００５３】
各グループは２つの空間ストリームを備えている。ステップ８１２において、２つの空間ストリームからなるＮｇ個のグループそれぞれに、図４に示したＳＦＤＳを適用する。方法８００はステップ８１８において停止する。
【００５４】
ステップ８１４においては、Ｎｓｓ個の空間ストリームをＮｇ個のグループにグループ化し、この場合、Ｎｇ個のグループのうちの１つが３つの空間ストリームを備えており、残りの（Ｎｇ−１）個のグループそれぞれが２つの空間ストリームを備えている。ステップ８１６において、２つの空間ストリームからなる（Ｎｇ−１）個のグループそれぞれに、図４に示した従来のＳＦＤＳを適用し、３つの空間ストリームからなるグループに、拡張ＳＦＤＳ（ｅ−ＳＦＤＳ）を適用する。ｅ−ＳＦＤＳの動作については後から詳しく説明する。方法８００はステップ８１８において停止する。
【００５５】
本開示の第２の実施形態によれば、空間ストリームをグループ化する方法は、設定可能とする、またはあらかじめ決めておくことができる。空間ストリームをグループ化する複数の方法が設定可能である場合、空間ストリームをグループ化するために実際に使用されている方法を示すため、ＨＥ−ＳＩＧ−Ａ  １１０、ＨＥ−ＳＩＧ−Ｂ  １１２のユーザ固有サブフィールド、またはトリガーフレームにおける追加のシグナリングが必要である。
【００５６】
本開示の第２の実施形態によれば、ＯＬ  ＭＩＭＯの場合、グループ化される空間ストリーム間の相互関係ができる限り弱いように、物理的なアンテナの構成と、アンテナへの空間ストリームのマッピングとに基づいて、空間ストリームをグループ化することができる。これを達成する目的で、隣り合うアンテナを通じて送信される空間ストリームを同じグループにグループ化することを回避し、同じグループの空間ストリームが送信されるアンテナ間の最小物理距離を最大にすることが好ましい。
【００５７】
空間ストリームに割り当てられているストリームインデックスが、物理的なアンテナの構成の番号に対応している場合、Ｎｓｓが偶数ならば、空間ストリームをＮｇ個の空間ストリームグループにグループ化する方法の例は、最小のストリームインデックスを有する空間ストリームから開始して、ストリームインデックスの値がＮｇだけ離れている２つの空間ストリームそれぞれを一緒にグループ化するステップを含む。Ｎｓｓが奇数であり１より大きい場合には、空間ストリームをＮｇ個の空間ストリームグループにグループ化する方法の例は、２番目に小さいストリームインデックスを有する空間ストリームから開始して、２つの空間ストリームからなる（Ｎｇ−１）個のグループそれぞれにおいて、ストリームインデックスの値がＮｐだけ離れている２つの空間ストリームそれぞれを一緒にグループ化するステップを含む。残りの３つの空間ストリームは、３つの空間ストリームからなるグループにグループ化される。結果として、特に、直接マッピングを使用するＯＬ  ＭＩＭＯ伝送の場合に、空間ストリームそれぞれにおいて空間ダイバーシチ利得を改善することができる。
【００５８】
図９Ａは、直接マッピングおよび４つの空間ストリームを使用するＯＬ  ＭＩＭＯ伝送の場合における、本開示の第２の実施形態に係る空間ストリームのグループ化の例を示している。この場合、空間ストリームに割り当てられているストリームインデックスが、物理的なアンテナの構成の番号に対応している。第１の空間ストリームＳＳ１と第３の空間ストリームＳＳ３との間の相互関係は、第１の空間ストリームＳＳ１と第２の空間ストリームＳＳ２との間の相互関係より一般に弱いが、第２の空間ストリームＳＳ２と第４の空間ストリームＳＳ４との間の相互関係と同程度であることに留意されたい。したがって、４つの空間ストリームそれぞれがより良好な同程度の空間ダイバーシチ利得を達成することができるように、ＳＳ１とＳＳ３をグループ化し、ＳＳ２とＳＳ４をグループ化することがより良好である。
【００５９】
図９Ｂは、直接マッピングおよび５つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応している。第１の空間ストリームＳＳ１と第３の空間ストリームＳＳ３との間の相互関係は、第１の空間ストリームＳＳ１と第２の空間ストリームＳＳ２との間の相互関係より一般に弱いが、第２の空間ストリームＳＳ２と第４の空間ストリームＳＳ４との間の相互関係、または第３の空間ストリームＳＳ３と第５の空間ストリームＳＳ５との間の相互関係と同程度であることに留意されたい。したがって、ＳＳ１〜ＳＳ５それぞれがより良好な同程度の空間ダイバーシチ利得を達成することができるように、ＳＳ１とＳＳ３とＳＳ５をグループ化し、ＳＳ２とＳＳ４をグループ化することがより良好である。
【００６０】
図９Ｃは、直接マッピングおよび６つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応している。第１の空間ストリームＳＳ１と第４の空間ストリームＳＳ４との間の相互関係は、第１の空間ストリームＳＳ１と第２の空間ストリームＳＳ２との間の相互関係、または第１の空間ストリームＳＳ１と第３の空間ストリームＳＳ３との間の相互関係より一般に弱いが、第２の空間ストリームＳＳ２と第５の空間ストリームＳＳ５との間の相互関係、または第３の空間ストリームＳＳ３と第６の空間ストリームＳＳ６との間の相互関係と同程度であることに留意されたい。したがって、ＳＳ１〜ＳＳ６それぞれがより良好な同程度の空間ダイバーシチ利得を達成することができるように、ＳＳ１とＳＳ４を対にし、ＳＳ２とＳＳ５を対にし、ＳＳ３とＳＳ６を対にすることがより良好である。
【００６１】
図９Ｄは、直接マッピングおよび７つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応している。第１の空間ストリームＳＳ１と第４の空間ストリームＳＳ４との間の相互関係は、第１の空間ストリームＳＳ１と第２の空間ストリームＳＳ２との間の相互関係、または第１の空間ストリームＳＳ１と第３の空間ストリームＳＳ３との間の相互関係より一般に弱いが、第２の空間ストリームＳＳ２と第５の空間ストリームＳＳ５との間の相互関係、または第３の空間ストリームＳＳ３と第６の空間ストリームＳＳ６との間の相互関係、または第４の空間ストリームＳＳ４と第７の空間ストリームＳＳ７との間の相互関係と同程度であることに留意されたい。したがって、ＳＳ１〜ＳＳ７それぞれがより良好な同程度の空間ダイバーシチ利得を達成することができるように、ＳＳ１とＳＳ４とＳＳ７をグループ化し、ＳＳ２とＳＳ５をグループ化し、ＳＳ３とＳＳ６をグループ化することがより良好である。
【００６２】
図９Ｅは、直接マッピングおよび８つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応している。第１の空間ストリームＳＳ１と第５の空間ストリームＳＳ５との間の相互関係は、第１の空間ストリームＳＳ１と第２の空間ストリームＳＳ２との間の相互関係、または第１の空間ストリームＳＳ１と第３の空間ストリームＳＳ３との間の相互関係、または第１の空間ストリームＳＳ１と第４の空間ストリームＳＳ４との間の相互関係より一般に弱いが、第２の空間ストリームＳＳ２と第６の空間ストリームＳＳ６との間の相互関係、または第３の空間ストリームＳＳ３と第７の空間ストリームＳＳ７との間の相互関係、または第４の空間ストリームＳＳ４と第８の空間ストリームＳＳ８との間の相互関係と同程度であることに留意されたい。したがって、ＳＳ１〜ＳＳ８それぞれがより良好な同程度の空間ダイバーシチ利得を達成することができるように、ＳＳ１とＳＳ５を対にし、ＳＳ２とＳＳ６を対にし、ＳＳ３とＳＳ７を対にし、ＳＳ４とＳＳ８を対にすることがより良好である。
【００６３】
図９Ｆは、直接マッピングおよび４つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応していない。第１の空間ストリームＳＳ１と第２の空間ストリームＳＳ２との間の相互関係は、第１の空間ストリームＳＳ１と第３の空間ストリームＳＳ３との間の相互関係より一般に弱いが、第３の空間ストリームＳＳ３と第４の空間ストリームＳＳ４との間の相互関係と同程度であることに留意されたい。したがって、ＳＳ１、ＳＳ２、ＳＳ３、ＳＳ４がより良好な同程度の空間ダイバーシチ利得を達成することができるように、ＳＳ１とＳＳ２をグループ化し、ＳＳ３とＳＳ４をグループ化することがより良好である。
【００６４】
図９Ｇは、直接マッピングおよび５つの空間ストリームを使用するＯＬ  ＭＩＭＯ伝送の場合における、本開示の第２の実施形態に係る空間ストリームのグループ化の別の例を示している。この場合、空間ストリームに割り当てられているストリームインデックスが、物理的なアンテナの構成の番号に対応していない。第１の空間ストリームＳＳ１と第２の空間ストリームＳＳ２との間の相互関係は、第１の空間ストリームＳＳ１と第４の空間ストリームＳＳ４との間の相互関係より一般に弱いが、第４の空間ストリームＳＳ４と第５の空間ストリームＳＳ５との間の相互関係、または第２の空間ストリームＳＳ２と第３の空間ストリームＳＳ３との間の相互関係と同程度であることに留意されたい。したがって、ＳＳ１〜ＳＳ５それぞれがより良好な同程度の空間ダイバーシチ利得を達成することができるように、ＳＳ１とＳＳ２とＳＳ３をグループ化し、ＳＳ４とＳＳ５をグループ化することがより良好である。
【００６５】
図１０は、本開示の第２の実施形態に係る、ＱＰＳＫ変調が使用される場合におけるｅ−ＳＦＤＳの動作の例を示している。ｅ−ＳＦＤＳは、３つの空間ストリームにまたがって実行される。第１の空間ストリームＳＳ１に対応するデータブロック内の符号化されてインターリーブされたビットが、ＱＰＳＫによって変調され、第１の空間ストリームＳＳ１に対応するＲＵにおけるデータサブキャリアの下半分（図１０の左側）にマッピングされ、すなわち、｛ｄ１，ｋ，ｋ＝０，１，．．．，ＮＳＤ／２−１｝である。第１の空間ストリームＳＳ１に対応するＲＵにおけるデータサブキャリアの下半分の変調されたシンボルが繰り返され、共役化され、次いで、第２の空間ストリームＳＳ２に対応するＲＵにおけるデータサブキャリアの上半分（図１０の右側）にマッピングされる。すなわち、以下である。
【数１０】
2019515575.tif 000012
第２の空間ストリームＳＳ２に対応するデータブロック内の符号化されてインターリーブされたビットが、ＱＰＳＫによって変調され、第２の空間ストリームＳＳ２に対応するＲＵにおけるデータサブキャリアの下半分にマッピングされ、すなわち、｛ｄ２，ｋ，ｋ＝０，１，．．．，ＮＳＤ／２−１｝である。第２の空間ストリームＳＳ２に対応するＲＵにおけるデータサブキャリアの下半分の変調されたシンボルが繰り返され、共役化され、次いで、第３の空間ストリームＳＳ３に対応するＲＵにおけるデータサブキャリアの上半分にマッピングされる。すなわち、以下である。
【数１１】
2019515575.tif 000013
第３の空間ストリームＳＳ３に対応するデータブロック内の符号化されてインターリーブされたビットが、ＱＰＳＫによって変調され、第３の空間ストリームＳＳ３に対応するＲＵにおけるデータサブキャリアの下半分にマッピングされ、すなわち、｛ｄ３，ｋ，ｋ＝０，１，．．．，ＮＳＤ／２−１｝である。第３の空間ストリームＳＳ３に対応するＲＵにおけるデータサブキャリアの下半分の変調されたシンボルが繰り返され、共役化され、次いで、第１の空間ストリームＳＳ１に対応するＲＵにおけるデータサブキャリアの上半分にマッピングされる。すなわち、以下である。
【数１２】
2019515575.tif 000014
【００６６】
本開示の第２の実施形態によれば、ｅ−ＳＦＤＳの利点は、３つの空間ストリームからなる１つのグループ内の３つの空間ストリームそれぞれにおいて、周波数ダイバーシチ利得および空間ダイバーシチ利得の両方を得ることができることである。
【００６７】
なお、高次変調（例えば６４−ＱＡＭ）の場合、高い誤り性能を達成する代償として、高次変調のデータレートが低下しうるため、図９に示したｅ−ＳＦＤＳを使用しなくてもよいことに留意されたい。
【００６８】
本開示の第２の実施形態によれば、ＲＵにおけるシングルユーザ伝送においてダイバーシチ伝送が可能であり、ＤＣＭ、従来のＳＦＤＳ、およびｅ−ＳＦＤＳを含む３つのダイバーシチ伝送方式が、ＲＵにおいて使用される変調方式に適用可能である。ＲＵにおいて使用されるダイバーシチ伝送方式は、次のように、ＲＵにおいて送信される空間ストリームの数Ｎｓｓのみに従って決定される。
−  Ｎｓｓ＝１の場合、１つの空間ストリームにＤＣＭが適用される。
−  Ｎｓｓが偶数である場合、２つの空間ストリームからなるＮｇ個のグループそれぞれに従来のＳＦＤＳが適用される。例えば、Ｎｓｓ＝２の場合、２つの空間ストリームからなる１つのグループに従来のＳＦＤＳが適用される。
−  Ｎｓｓが奇数であり１より大きい場合、Ｎｇ個のグループが存在する。２つの空間ストリームからなる（Ｎｇ−１）個のグループそれぞれに従来のＳＦＤＳが適用され、３つの空間ストリームからなるグループにｅ−ＳＦＤＳが適用される。例えば、Ｎｓｓ＝３の場合、３つの空間ストリームからなる１つのグループにｅ−ＳＦＤＳが適用される。Ｎｓｓ＝５の場合、２つの空間ストリームからなるグループに従来のＳＦＤＳが適用され、３つの空間ストリームからなるグループにｅ−ＳＦＤＳが適用される。
【００６９】
本開示の第２の実施形態によれば、図１のＨＥパケット１００のＨＥ−ＳＩＧ−ＡにおけるＤＣＭフィールド、ＨＥ−ＳＩＧ−Ｂ  １１２のユーザ固有サブフィールド、またはトリガーフレームが、本来の目的の代わりに、ダイバーシチ伝送が有効にされているかを示すことができる。ダイバーシチ伝送が有効にされている場合、受信機は、（１つまたは複数の）どのダイバーシチ伝送方式が使用されているかを、空間ストリームの数Ｎｓｓに従って求めることができる。
【００７０】
上述した設定によれば、ＲＵにおいて２つ以上の空間ストリームが送信される場合、２つの空間ストリームからなるグループそれぞれに対するダイバーシチ伝送方式としてＳＦＤＳを使用し、３つの空間ストリームからなるグループに対するダイバーシチ伝送方式としてｅ−ＳＦＤＳを使用することによって、Ｎｓｓ個の空間ストリームそれぞれにおいて周波数ダイバーシチ利得および空間ダイバーシチ利得の両方を得ることができる。したがって、ＨＥパケット１００が受ける狭帯域干渉が軽減され、さらに、ＨＥパケット１００のＰＥＲ性能が改善される。さらには、送信機は、どの空間ストリームに対してどのダイバーシチ伝送方式を使用するかを空間ストリームの数に基づいて決定するため、たとえＲＵにおいて２つ以上の空間ストリームが送信されるときでも、受信機は、どの空間ストリームに対してどのダイバーシチ伝送方式が実際に使用されているかを通知する追加のシグナリングビットを受信することなく、どの空間ストリームに対してどのダイバーシチ伝送方式が使用されているかを認識することができる。したがって、上述した設定をサポートするために余分なシグナリングビットが必要ない。これは極めて重要であり、なぜならＨＥ−ＳＩＧ−Ａフィールド、またはＨＥ−ＳＩＧ−Ｂフィールドのユーザ固有サブフィールドが、どの空間ストリームに対してどのダイバーシチ伝送方式が使用されているかを示すための十分なシグナリングビットを有さないことがあるためである。
【００７１】
本開示の第２の実施形態によれば、受信機は、１つのＲＵにおけるシングルユーザ伝送用ＨＥパケット１００のＨＥデータフィールド１２０を復号する前に、空間ストリームがどのようにグループ化されているかを、空間ストリームの数Ｎｓｓに従って認識することができる。例えば、Ｎｓｓ＝４の場合、２つの空間ストリームからなる最初のグループがＳＳ１およびＳＳ３を備えており、２つの空間ストリームからなる２番目のグループがＳＳ２およびＳＳ４を備えている。
【００７２】
本開示の第２の実施形態によれば、Ｎｓｓが偶数である場合に１つのＲＵにおけるシングルユーザ伝送用の図１のＨＥパケット１００のＨＥデータフィールド１２０を受信機において復号する方法は、２つの空間ストリームからなるＮｓｓ／２個のグループそれぞれにおける第１の空間ストリームおよび第２の空間ストリームからの情報ビットを復号するステップと、Ｎｓｓ個の空間ストリームを逆パースして、復号された情報ビットのシーケンスを得るステップと、を含む。
【００７３】
本開示の第２の実施形態によれば、Ｎｓｓが奇数であり１より大きい場合に１つのＲＵにおけるシングルユーザ伝送用の図１のＨＥパケット１００のＨＥデータフィールド１２０を受信機において復号する方法は、２つの空間ストリームからなる（Ｎｇ−１）個のグループそれぞれにおける第１の空間ストリームおよび第２の空間ストリームからの情報ビットを復号するステップと、３つの空間ストリームからなるグループにおける第１の空間ストリーム、第２の空間ストリーム、および第３の空間ストリームからの情報ビットを復号するステップと、Ｎｓｓ個の空間ストリームを逆パースして、復号された情報ビットのシーケンスを得るステップと、を含む。
【００７４】
本開示の第２の実施形態によれば、受信機は、２つの空間ストリームからなるグループにおける第１の空間ストリームからの情報ビットを復号するため、グループにおける第１の空間ストリームに対応する最初のデータサブキャリアｋ（ｋ＝０，１，．．．，ＮＳＤ／２−１）におけるＬＬＲと、グループにおける第２の空間ストリームに対応する２番目のデータサブキャリアＰ（ｋ）、すなわち、
【数１３】
2019515575.tif 000015
におけるＬＬＲとを計算し、次いで両方のＬＬＲを合成する。さらに受信機は、２つの空間ストリームからなるグループにおける第２の空間ストリームからの情報ビットを復号するため、グループにおける第２の空間ストリームに対応する最初のデータサブキャリアｋ（ｋ＝０，１，．．．，ＮＳＤ／２−１）におけるＬＬＲと、グループにおける第１の空間ストリームに対応する２番目のデータサブキャリアＰ（ｋ）、すなわち、
【数１４】
2019515575.tif 000016
におけるＬＬＲとを計算し、次いで両方のＬＬＲを合成する。
【００７５】
本開示の第２の実施形態によれば、受信機は、３つの空間ストリームからなるグループにおける第１の空間ストリームからの情報ビットを復号するため、グループにおける第１の空間ストリームに対応する最初のデータサブキャリアｋ（ｋ＝０，１，．．．，ＮＳＤ／２−１）におけるＬＬＲと、グループにおける第２の空間ストリームに対応する２番目のデータサブキャリアＰ（ｋ）、すなわち、
【数１５】
2019515575.tif 000017
におけるＬＬＲとを計算し、次いで両方のＬＬＲを合成する。さらに受信機は、グループにおける第２の空間ストリームからの情報ビットを復号するため、グループにおける第２の空間ストリームに対応する最初のデータサブキャリアｋ（ｋ＝０，１，．．．，ＮＳＤ／２−１）におけるＬＬＲと、グループにおける第３の空間ストリームに対応する２番目のデータサブキャリアＰ（ｋ）、すなわち、
【数１６】
2019515575.tif 000018
におけるＬＬＲとを計算し、次いで両方のＬＬＲを合成する。さらに受信機は、グループにおける第３の空間ストリームからの情報ビットを復号するため、グループにおける第３の空間ストリームに対応する最初のデータサブキャリアｋ（ｋ＝０，１，．．．，ＮＳＤ／２−１）におけるＬＬＲと、グループにおける第１の空間ストリームに対応する２番目のデータサブキャリアＰ（ｋ）、すなわち、
【数１７】
2019515575.tif 000019
におけるＬＬＲとを計算し、次いで両方のＬＬＲを合成する。
【００７６】
図１１は、ダイバーシチ伝送およびＢＣＣを使用しての１つのＲＵにおけるシングルユーザ伝送用の図１のＨＥパケット１００のＨＥデータフィールド１２０を生成するために使用される、本開示の第２の実施形態に係る送信機１１００の構造の例を示している。送信機１１００は、ＦＥＣ前ＰＨＹパディングブロック１１０２と、スクランブラ１１０４と、ＢＣＣ符号化器１１０６と、ＦＥＣ後ＰＨＹパディングブロック１１０８と、ストリームパーサ１１１０と、Ｎｓｓ個のＢＣＣインターリーバ１１１２と、Ｎｓｓ個のコンステレーションマッパー１１１４と、ＤＣＭ／ＳＦＤＳ／ｅ−ＳＦＤＳトーンマッパー１１１６と、（Ｎｓｓ−１）個のＣＳＤブロック１１１８と、空間・周波数マッピングブロック１１２０と、ＮＴＸ個のＩＤＦＴブロック１１２２と、ＮＴＸ個のＧＩ挿入および窓掛けブロック１１２４と、ＮＴＸ個のアナログおよびＲＦブロック１１２６とを備えており、ここでＮｓｓは空間ストリームの数であり、ＮＴＸは送信チェーンの数である。さらに、送信機１１００は、空間ストリームグループ化ブロック１１３２と、ダイバーシチ方式選択ブロック１１３４とを備えている。
【００７７】
ＦＥＣ前ＰＨＹパディングブロック１１０２と、スクランブラ１１０４と、ＢＣＣ符号化器１１０６と、ＦＥＣ後ＰＨＹパディングブロック１１０８と、ストリームパーサ１１１０と、ＢＣＣインターリーバ１１１２と、コンステレーションマッパー１１１４と、ＣＳＤブロック１１１８と、空間・周波数マッピングブロック１１２０と、ＩＤＦＴブロック１１２２と、ＧＩ挿入および窓掛けブロック１１２４と、アナログおよびＲＦブロック１１２６は、図２に示した送信機２００における対応する各ブロックとまったく同じ機能を有する。
【００７８】
空間ストリームグループ化ブロック１１３２は、Ｎｓｓが１より大きい場合に、Ｎｓｓ個の空間ストリームをＮｇ個のグループにグループ化する。Ｎｓｓが偶数である場合、Ｎｇ個のグループすべてが、２つの空間ストリームからなるグループである。Ｎｓｓが奇数である場合、Ｎｇ個のグループの１つが、３つの空間ストリームからなるグループであり、残りの（Ｎｇ−１）個のグループそれぞれが、２つの空間ストリームからなるグループである。ダイバーシチ方式選択ブロック１１３４は、各グループに対して使用する（１つまたは複数の）ダイバーシチ方式を、Ｎｓｓの値に従って決定する。ＤＣＭ／ＳＦＤＳ／ｅ−ＳＦＤＳトーンマッパー１１１６は、Ｎｓｓ＝１の場合、１つの空間ストリームに対して、図３に示したＤＣＭを実行する。Ｎｓｓが偶数である場合、ＤＣＭ／ＳＦＤＳ／ｅ−ＳＦＤＳトーンマッパー１１１６は、２つの空間ストリームからなるＮｇ個のグループそれぞれに対して、図４に示した従来のＳＦＤＳを実行する。Ｎｓｓが１より大きく、かつＮｓｓが奇数である場合、ＤＣＭ／ＳＦＤＳ／ｅ−ＳＦＤＳトーンマッパー１１１６は、３つの空間ストリームからなるグループに対して、図１０に示したｅ−ＳＦＤＳを実行し、２つの空間ストリームからなる残りの（Ｎｇ−１）個のグループそれぞれに対して、図４に示した従来のＳＦＤＳを実行する。
【００７９】
本開示の第２の実施形態の設定によれば、ＲＵにおいて２つ以上の空間ストリームが送信される場合、２つの空間ストリームからなるグループそれぞれに対するダイバーシチ伝送方式としてＳＦＤＳを使用し、３つの空間ストリームからなるグループに対するダイバーシチ伝送方式としてｅ−ＳＦＤＳを使用することによって、Ｎｓｓ個の空間ストリームそれぞれにおいて周波数ダイバーシチ利得および空間ダイバーシチ利得の両方を得ることができる。したがって、ＨＥパケット１００が受ける狭帯域干渉が軽減され、さらに、ＨＥパケット１００のＰＥＲ性能が改善される。さらに、どの空間ストリームに対してどのダイバーシチ伝送方式が使用されているかを受信機に通知する余分なシグナリングビットが必要ない。
【００８０】
＜無線通信装置の構造＞
図１２は、本開示の第１の実施形態および第２の実施形態に係る無線通信装置１２００の構造の例を示している。無線通信装置１２００は、集中型無線ネットワークにおけるＡＰ（アクセスポイント）、集中型無線ネットワークにおけるＳＴＡ（端末局）、またはピアツーピア無線ネットワークにおけるノードとすることができる。無線通信装置１２００は、コントローラ１２１０と、送信機１２２０と、受信機１２３０と、複数のアンテナ１２４０とを備えている。コントローラ１２１０は、パケット生成器１２１２を備えている。パケット生成器１２１２は、図１に示したパケットを作成するように構成されている。作成されたパケットは、本開示のさまざまな実施形態の１つに従って送信機１２２０によって送信処理された後、アンテナ１２４０を通じて送信される。一方で、コントローラ１２１０は、アンテナ１２４０を通じて受信されたパケットを、受信機１２３０によって受信処理された後に解析および処理するように構成されている。
【００８１】
上述した実施形態においては、本発明は、上に説明したように一例としてハードウェアによって構成されているが、ハードウェアと協働するソフトウェアによって本発明を提供することもできる。
【００８２】
さらに、実施形態の説明において使用されている機能ブロックは、一般にはＬＳＩデバイス（集積回路である）として実施される。これらの機能ブロックは、個々のチップとして形成することができ、あるいは、機能ブロックの一部またはすべてを１つのチップに集積化することができる。ここでは用語「ＬＳＩ」が使用されているが、集積度に応じて、用語「ＩＣ」、「システムＬＳＩ」、「スーパーＬＳＩ」、または「ウルトラＬＳＩ」も使用することができる。
【００８３】
さらに、回路集積化はＬＳＩに限定されず、専用回路、またはＬＳＩ以外の汎用プロセッサによって達成することができる。ＬＳＩを作製した後、フィールドプログラマブルゲートアレイ（ＦＰＧＡ）（プログラム可能である）、またはＬＳＩの中の回路セルの接続および設定を再設定できるリコンフィギャラブルプロセッサを使用することもできる。
【００８４】
半導体技術、または半導体技術から派生する別の技術の進歩の結果として、ＬＳＩに代わる回路集積化技術が登場した場合、そのような技術を使用して機能ブロックを集積化することができる。別の可能性として、バイオテクノロジーおよび／またはその他の技術を適用することができる。
【産業上の利用可能性】
【００８５】
本開示は、無線通信システムにおけるダイバーシチ伝送の方法に適用することができる。
【符号の説明】
【００８６】
１２１０  コントローラ
１２１２  パケット生成器
１２２０  送信機
１２３０  受信機
１２４０  アンテナ
【図１】
2019515575.tif 000020
【図２】
2019515575.tif 000021
【図３】
2019515575.tif 000022
【図４】
2019515575.tif 000023
【図５】
2019515575.tif 000024
【図６Ａ】
2019515575.tif 000025
【図６Ｂ】
2019515575.tif 000026
【図６Ｃ】
2019515575.tif 000027
【図６Ｄ】
2019515575.tif 000028
【図７】
2019515575.tif 000029
【図８】
2019515575.tif 000030
【図９Ａ】
2019515575.tif 000031
【図９Ｂ】
2019515575.tif 000032
【図９Ｃ】
2019515575.tif 000033
【図９Ｄ】
2019515575.tif 000034
【図９Ｅ】
2019515575.tif 000035
【図９Ｆ】
2019515575.tif 000036
【図９Ｇ】
2019515575.tif 000037
【図１０】
2019515575.tif 000038
【図１１】
2019515575.tif 000039
【図１２】
2019515575.tif 000040
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
送信装置であって、
動作時に、非レガシープリアンブルと、データフィールドとを含む送信信号を生成する送信信号生成器であって、前記非レガシープリアンブルが、前記データフィールドにおける空間ストリームの数（Ｎｓｓ）を示す第１フィールドと、複数の変調・符号化方式の１つを示す第２フィールド、を備えており、２つ以上の周波数ダイバーシチ伝送方式がサポートされ、前記２つ以上の周波数ダイバーシチ伝送方式のそれぞれが、Ｎｓｓの値に基づいて指定される、前記送信信号生成器と、
動作時に、前記生成された送信信号を送信する送信機と、
を備えている、送信装置。
【請求項２】
前記非レガシープリアンブルは、前記周波数ダイバーシチ伝送が前記データフィールドに適用されているかを示す第３フィールドを備えている、請求項１に記載の送信装置。
【請求項３】
前記２つ以上の周波数ダイバーシチ伝送方式は、空間ダイバーシチのない周波数ダイバーシチ方式である第１方式を含む、請求項１に記載の送信装置。
【請求項４】
前記Ｎｓｓの値が第１所定値に等しく、前記第１方式が前記データフィールドに適用されていることを前記非レガシープリアンブルが示す場合、前記第１方式は、前記空間ストリームの少なくとも１つに適用される、請求項１に記載の送信装置。
【請求項５】
前記第１所定値は奇数である、請求項４に記載の送信装置。
【請求項６】
前記Ｎｓｓの値が偶数である場合、空間・周波数ダイバーシチ方式（ＳＦＤＳ）である第２方式が前記データフィールドに適用される、請求項１に記載の送信装置。
【請求項７】
前記Ｎｓｓの値が奇数である場合、前記第１方式および前記第２方式が前記データフィールドに適用される、請求項６に記載の送信装置。
【請求項８】
前記Ｎｓｓの値が３より大きい場合、２個以上の空間ストリームが、Ｎｐ＝ｆｌｏｏｒ（Ｎｓｓ／２）個の空間ストリームペアに対にされ、空間ストリームの１つが対にされない、請求項７に記載の送信装置。
【請求項９】
前記第１方式は前記対にされない空間ストリームに適用され、前記第２方式は前記Ｎｐ空間ストリームペアのそれぞれに適用される、請求項８に記載の送信装置。
【請求項１０】
前記空間ストリームは、物理的アンテナ構成および空間ストリームのアンテナへのマッピングに基づいてペアにされ得る、請求項８に記載の送信装置。
【請求項１１】
前記Ｎｓｓの値が奇数である場合、前記空間ストリームは、Ｎｇ＝ｆｌｏｏｒ（Ｎｓｓ／２）個の空間ストリームグループにグループ化され、
前記Ｎｇグループの１つは、３個の空間ストリームを備え、残りの（Ｎｇ−１）グループのそれぞれは、２個の空間ストリームを備える、請求項１に記載の送信装置。
【請求項１２】
拡張空間・周波数ダイバーシチ方式（ｅ−ＳＦＤＳ）が３個の空間ストリームグループに適用され、ＤＣＭ（デュアルサブキャリア変調）が前記残りの（Ｎｇ−１）グループのそれぞれに適用される、請求項１１に記載の送信装置。
【請求項１３】
前記空間ストリームは、物理的アンテナ構成および空間ストリームのアンテナへのマッピングに基づいてペアにされ得る、請求項１１に記載の送信装置。
【請求項１４】
送信装置であって、
動作時に、非レガシープリアンブルと、データフィールドとを含む送信信号を生成する送信信号生成器であって、前記非レガシープリアンブルが、前記データフィールドにおける空間ストリームの数（Ｎｓｓ）を示す第１フィールドと、複数の変調・符号化方式の１つを示す第２フィールド、を備えており、２つ以上の周波数ダイバーシチ伝送方式がサポートされる、前記送信信号生成器と、
動作時に、前記生成された送信信号を送信する送信機と、
を備え、
前記２つ以上の周波数ダイバーシチ伝送方式の第１方式が、空間ダイバーシチのない周波数ダイバーシチ方式であり、
前記２つ以上の周波数ダイバーシチ伝送方式の第２方式が、空間・周波数ダイバーシチ方式であり、
前記周波数ダイバーシチ伝送方式が前記データフィールドに適用され、かつ、前記Ｎｓｓの値が奇数である場合、前記第１方式は、空間ストリームの少なくとも１つに適用される、送信装置。
【請求項１５】
送信方法であって、
非レガシープリアンブルと、データフィールドとを含む送信信号を生成するステップであって、前記非レガシープリアンブルが、前記データフィールドにおける空間ストリームの数（Ｎｓｓ）を示す第１フィールドと、複数の変調・符号化方式の１つを示す第２フィールド、を備えており、２つ以上の周波数ダイバーシチ伝送方式がサポートされ、前記２つ以上の周波数ダイバーシチ伝送方式のそれぞれが、Ｎｓｓの値に基づいて指定される、ステップと、
前記生成された送信信号を送信するステップと、
を含む、方法。
【国際調査報告】
2019515575.tif 000041